(57)【要約】      （修正有）【課題】食事の楽しみ方を広げることができる調理器具を提供する。【解決手段】調理器具は、金属製の皿体１と、皿体１が載置される石製の載置体２とを備え、載置体２は、皿体１を載置する部分には貫通穴２１が形成されると共に、皿体１を載置した状態で皿体１の外側に食材を載置するスペース２２が形成されている。載置体２に皿体１の外側に設けたスペース２２は、皿体１の加熱に伴って或る程度加熱されるので、皿体１で加熱調理した後の食材を載せて保温するのに用いることができ、また、皿体１に載せる前の食材を載せて調理前に軽く熱を加えるのに用いることができる。なお、載置体２は事前に加熱しておいても構わない。また、これとは逆に、載置体２を事前に冷却しておき、皿体１で加熱調理する前は冷やしておく必要がある食材を載せて保冷するのに用いることもできる。【選択図】図１
0003200803.tif 000002
【実用新案登録請求の範囲】
【請求項１】
金属製の皿体と、
該皿体が載置される載置体とを備え、
該載置体は、該皿体を載置する部分には貫通穴が形成されると共に、該皿体を載置した状態で該皿体の外側に食材を載置するスペースが形成されていることを特徴とする調理器具。
【請求項２】
該載置体は、石製であることを特徴とする請求項１に記載の調理器具。
【請求項３】
該皿体は、底面が円形状の底部を備え、
該貫通穴の形状は、該底部を収容可能な円形状であり、
該載置体の外形は、該貫通穴と同心の円形状に形成されていることを特徴とする請求項１又は請求項２に記載の調理器具。
【請求項４】
該載置体の周囲を締め付けて該載置体を補強する金属製の枠体を備えたことを特徴とする請求項３に記載の調理器具。
【考案の詳細な説明】
【技術分野】
【０００１】
本考案は、食材を加熱して調理する調理器具に関する。
【背景技術】
【０００２】
従来、フライパン等の調理器具で食材を加熱して調理し、できた料理を皿等の食器に移して盛り付け等をし、食器から料理を口に運んで食すことが行われている。
食事は単に栄養補給や空腹を満たすためだけのものではなく、食事を通じて他者と触れ合うコミュニケーションの場でもあるが、調理器具や食器は画一的なものが多いことから、食事の楽しみ方が制限されてしまっていた。
【考案の概要】
【考案が解決しようとする課題】
【０００３】
本考案は、上記のような従来の事情に鑑みて為されたものであり、食事の楽しみ方を広げることができる調理器具を提供することを目的とする。
【課題を解決するための手段】
【０００４】
本考案に係る調理器具は、金属製の皿体と、該皿体が載置される載置体とを備え、該載置体は、該皿体を載置する部分には貫通穴が形成されると共に、該皿体を載置した状態で該皿体の外側に食材を載置するスペースが形成されていることを特徴とする。
【０００５】
このため、例えば、載置体を皿体で調理する前又は調理した後の食材を載置するのに使用することで、調理をしながら食事を楽しむことができる。また、例えば、載置体を事前に加熱しておき、又は、皿体の加熱時に載置体も加熱されることを利用して、加熱の仕方が異なる調理を皿体と載置体で同時に行うこともできる。このように、本考案に係る調理器具を用いることで、食事の楽しみ方を広げることができる。
【０００６】
ここで、本考案に係る調理器具では、該載置体は、石製であることが好ましい。
すなわち、石製の載置体は耐熱性・耐火性が高いので、載置体に載置した皿体を調理のために直火等で強く加熱することに支障がない。また、石製の載置体は保温性・保冷性も高いので、載置体を事前に加熱しておけば、皿体で調理する前又は調理した後の食材を保温するのに用いることができ、或いは、載置体を事前に冷却しておけば、皿体で調理する前の食材を保冷するのに用いることができる。
【０００７】
また、本考案に係る調理器具では、該皿体は、底面が円形状の底部を備え、該貫通穴の形状は、該底部を収容可能な円形状であり、該載置体の外形は、該貫通穴と同心の円形状に形成されていることが好ましい。これにより、皿体を囲むように食材を載置できるだけでなく、複数人で調理器具を囲みながら調理や食事を楽しむことができる。
なお、このような円形状の調理器具とする場合には、該載置体の周囲を締め付けて該載置体を補強する金属製の枠体を備えることが好ましい。これにより、載置体の周囲を均等に締め付けて補強することができる。
【考案の効果】
【０００８】
本考案に係る調理器具を用いることで、食事の楽しみ方を広げることができる。
【図面の簡単な説明】
【０００９】
【図１】本考案の一実施形態に係る調理器具の構成例を示す斜視図である。
【図２】図１の調理器具における皿体の例を示す図であり、（ａ）は平面図、（ｂ）は断面図である。
【図３】図１の調理器具における載置体の例を示す図であり、（ａ）は平面図、（ｂ）は断面図である。
【図４】図１の調理器具の使用例を示す図である。
【考案を実施するための形態】
【００１０】
本考案に係る調理器具について、図面を参照して説明する。
図１には、本考案の一実施形態に係る調理器具の構成例を斜視図で示してある。
本例の調理器具は、金属製の皿体１と、皿体１が載置される石製の載置体２とを備え、載置体２は、皿体１を載置する部分には貫通穴２１が形成されると共に、皿体１を載置した状態で皿体１の外側に食材を載置するスペース２２が形成されていることを特徴としている。
【００１１】
図２には、図１の調理器具における皿体１の例を示してあり、（ａ）は平面図、（ｂ）は断面図である。
皿体１は、円形状の外形を有し、載置体２に載置する際に貫通穴２１の周囲部分に当接する縁部と、該縁部に対して窪んだ底部を有している。皿体１の底部は、底面が円形状であり、直線状に延びる複数本の凸状部を互いに並行に設けてある。
本例では、皿体１として、所定の鋳型に溶かした金属を流し込んで作成した鋳物を用いているが、所定の金型で金属をプレス加工したものを用いてもよい。
【００１２】
図３には、図１の調理器具における載置体２の例を示してあり、（ａ）は平面図、（ｂ）は断面図である。
載置体２は、皿体１を載置する部分に形成された貫通穴２１と、皿体１を載置した状態で食材を載置できる平面状のスペース２２と、を有している。貫通穴２１の形状は、皿体１の底部を収容可能な円形状であり、載置体２の外形は、貫通穴２１と同心の円形状に形成されている。すなわち、本例の載置体２は、ドーナツ状の平面形状を有している。
【００１３】
本例では、載置体２として、耐熱性・耐火性が高い石製のものを用いている。なお、載置体２に用いる石としては、天然石、人工石のいずれであってもよい。また、石に代えて他の素材を用いることもできるが、例えば、セラミックスの焼成体や陶器・磁器などのように、耐熱性・耐火性が高い素材であることが好ましい。
【００１４】
また、載置体２の外周には金属製の枠体３を嵌めてある。この枠体３は、細長い鋼板をリング状に屈曲させたものであり、枠体３で載置体２の周囲を均等に締め付けることで、載置体２を補強する構造となっている。
【００１５】
図４には、図１の調理器具の使用例を示してある。
本例の皿体１は、厚さ：約５ｍｍ、外径：約１７０ｍｍ、底部の内径：約１２０ｍｍ、底部の深さ：約８ｍｍにしてある。また、本例の載置体２は、厚さ：約２５ｍｍ、外径：約３００ｍｍ、貫通穴２１の内径：約１５０ｍｍにしてある。そして、皿体１を載置した載置体２をカセットコンロの上に載せて、肉や野菜等の食材を加熱調理するのに使用している。
【００１６】
図４に示すように、載置体２に載置された皿体１には、貫通穴２１を通じてカセットコンロの火を直接当てることができるので、載置体２に載置した状態の皿体１に食材４を載せて、食材４を加熱調理することができる。また、図４には、載置体２に皿体１の外側に設けたスペース２２に他の食材５を載置した様子も示してある。
【００１７】
スペース２２に載置する食材５としては、皿体１で調理する前の食材であってもよく、皿体１で調理した後の食材であってもよい。
ここで、載置体２に皿体１の外側に設けたスペース２２は、皿体１の加熱に伴って或る程度加熱されるので、皿体１で加熱調理した後の食材を載せて保温するのに用いることができ、また、皿体１に載せる前の食材を載せて調理前に軽く熱を加えるのに用いることができる。なお、載置体２は事前に加熱しておいても構わない。
また、これとは逆に、載置体２を事前に冷却しておき、皿体１で加熱調理する前は冷やしておく必要がある食材を載せて保冷するのに用いることもできる。
【００１８】
また、本例では、皿体１及び載置体２を共に円形状とし、皿体１に載置体２の周りを全て囲むようにスペース２２を設けているため、皿体１を囲むように食材４を載置できるだけでなく、複数人で載置体２を囲みながら調理や食事を楽しむことができる。
【００１９】
ここで、上記の説明では、皿体１を載置した載置体２を、カセットコンロの上に載せて皿体１だけを加熱して使用しているが、例えば、炭火を入れたバーベキューコンロの上に載せて、皿体１だけでなく載置体２自体も加熱するようにしてもよい。
このようにすれば、載置体２に載置した皿体１と、その外側に設けたスペース２２とを異なる温度に加熱できるので、加熱の仕方が異なる調理を同時に行うことができる。すなわち、例えば、強い火力で加熱する調理を皿体１で行い、弱い火力で加熱する調理を載置体２のスペース２２で行うことができる。なお、皿体１の加熱の際に載置体２を加熱するのではなく、載置体２を加熱調理可能な温度まで事前に加熱しておいても、加熱の仕方が異なる調理を同時に行うことができる。
【００２０】
これまでの説明では、皿体１を加熱する熱源として直火や炭火を用いているが、ＩＨヒーターや電熱ヒーターなどの他の熱源を用いるようにしてもよい。
また、これまでの説明で示した皿体１や載置体２の形状は一例に過ぎず、種々な形状とすることができる。
【００２１】
例えば、皿体１と載置体２の一方又は両方を、楕円形状にしてもよく、四角形や六角形などの多角形状にしてもよい。
また、例えば、皿体１を載置する部分となる貫通穴２１を、載置体２の中心ではなく偏った位置に配置してもよい。また、このとき、貫通穴２１の外側に形成するスペース２２を、貫通穴２１の周りを全て囲むのではなく部分的に囲むように設けてもよい。
【００２２】
なお、本考案に係る調理器具は上記の説明で挙げた例に限定されるものではなく、本考案の趣旨を逸脱しない範囲で適宜設計変更や材料選択等を行って実施することができることは言うまでもない。
【産業上の利用可能性】
【００２３】
本考案は、食材を加熱して調理する調理器具に利用することができる。
【符号の説明】
【００２４】
１：皿体
２：載置体
３：枠体
４、５：食材
２１：貫通穴
２２：スペース
【図１】
0003200803.tif 000003
【図２】
0003200803.tif 000004
【図３】
0003200803.tif 000005
【図４】
0003200803.tif 000006